(57)【要約】      （修正有）【課題】ゴルフクラブのグリップ部材をシャフトに容易に嵌装出来、水溶性接着層の乾燥時間を短縮出来るグリップ部材の接着方法を提供する。【解決手段】グリップ部６のシャフト11の外周面上に内側粘着層１を介して加飾シート材７が貼着され、グリップ部材12の中空内部12ａに少なくとも水分と界面活性剤とを含む溶液を泡状にした泡状体を充満させた状態で、グリップ部材12の中空内部12ａにシャフト11を挿入して装着し、泡状体に含まれる水分により加飾シート材７の外周面上に形成された外側粘着層４が粘液状となってグリップ部材12の中空内周面と加飾シート材７の外周面との間に介在され、泡状体に含まれる水分を蒸発させ外側粘着層４の接着力を作用させ、グリップ部６のシャフト11の外周面上に貼着された加飾シート材７の外周面と、グリップ部材12の中空内周面とを接着する。【選択図】図１
2008104710.tif 000002
【特許請求の範囲】
【請求項１】
グリップ部のシャフトの外周面上に水溶性粘着層を形成すると共に、該グリップ部のシャフトの外周部に嵌装されるグリップ部材の中空内部に少なくとも水分と界面活性剤とを含む溶液を泡状にした泡状体を充満させた状態で、該泡状体が充満したグリップ部材の中空内部に前記シャフトを挿入して装着し、該泡状体に含まれる水分により該シャフトの外周面上に形成された水溶性粘着層が粘液状となって前記グリップ部材の中空内周面と該シャフトの外周面との間に介在され、該泡状体に含まれる水分を蒸発させて該水溶性粘着層の接着力を作用させ、前記グリップ部のシャフトの外周面と、前記グリップ部材の中空内周面とを接着することを特徴とするグリップ部材の接着方法。
【請求項２】
グリップ部のシャフトの外周面上に粘着層を介して加飾シート材が貼着され、該加飾シート材の外周面上に水溶性粘着層を形成すると共に、該グリップ部のシャフトの外周部に嵌装される透明または半透明で且つ伸縮自在のグリップ部材の中空内部に少なくとも水分と界面活性剤とを含む溶液を泡状にした泡状体を充満させた状態で、該泡状体が充満したグリップ部材の中空内部に前記シャフトを挿入して装着し、該泡状体に含まれる水分により前記加飾シート材の外周面上に形成された水溶性粘着層が粘液状となって前記グリップ部材の中空内周面と該加飾シート材の外周面との間に介在され、該泡状体に含まれる水分を蒸発させて該水溶性粘着層の接着力を作用させ、前記グリップ部のシャフトの外周面上に貼着された加飾シート材の外周面と、前記グリップ部材の中空内周面とを接着することを特徴とするグリップ部材の接着方法。
【請求項３】
前記グリップ部材及び前記シャフトは、ゴルフクラブのグリップ部材及びシャフトであることを特徴とする請求項１または請求項２に記載のグリップ部材の接着方法。
【発明の詳細な説明】
【技術分野】
【０００１】
本発明は、把持して使用する各種物品のグリップ部のグリップ部材の接着方法に関するものである。
【背景技術】
【０００２】
従来、ゴルフクラブのグリップ固定用接着テープの表面に水溶性接着剤を設け、該水溶性接着剤を水で濡らして粘液状にしてグリップを押し込み、乾燥させてグリップを固定するものが提案されている（例えば、特許文献１）。また、ゴルフクラブのグリップ部を透明にして、該グリップ部内に写真や絵柄等の印刷物を内蔵したものも提案されている（例えば、特許文献２〜５参照。）。
【０００３】
【特許文献１】実開平０５−０８５８３４号公報
【特許文献２】実用新案登録第３１０５４２４号公報
【特許文献３】特開平０５−０７６６３０号公報
【特許文献４】特開平０５−０８４３３６号公報
【特許文献５】特開平０５−２１２１４１号公報
【発明の開示】
【発明が解決しようとする課題】
【０００４】
しかしながら、前述の特許文献１の技術では、水溶性接着剤を水で濡らして粘液状にしてグリップを押し込むため、水溶性接着剤に浸す水の量が多い場合には乾燥に時間がかかってしまうという問題があった。また、特許文献２〜５の技術では、ユーザの嗜好によってグリップ部の意匠デザインを容易に変えることが出来ないという問題があった。
【０００５】
本発明は前記課題を解決するものであり、その目的とするところは、グリップ部材の中空内部に充満させた泡状体（ムース）によりシャフトの外表面上に形成された水溶性接着層に適量の水を作用させてグリップ部材をシャフトに容易に嵌装出来、水溶性接着層の乾燥時間を短縮出来るグリップ部材の接着方法を提供せんとするものである。
【課題を解決するための手段】
【０００６】
前記目的を達成するための本発明に係るグリップ部材の接着方法の第１の構成は、グリップ部のシャフトの外周面上に水溶性粘着層を形成すると共に、該グリップ部のシャフトの外周部に嵌装されるグリップ部材の中空内部に少なくとも水分と界面活性剤とを含む溶液を泡状にした泡状体を充満させた状態で、該泡状体が充満したグリップ部材の中空内部に前記シャフトを挿入して装着し、該泡状体に含まれる水分により該シャフトの外周面上に形成された水溶性粘着層が粘液状となって前記グリップ部材の中空内周面と該シャフトの外周面との間に介在され、該泡状体に含まれる水分を蒸発させて該水溶性粘着層の接着力を作用させ、前記グリップ部のシャフトの外周面と、前記グリップ部材の中空内周面とを接着することを特徴とする。
【０００７】
また、本発明に係るグリップ部材の接着方法の第２の構成は、グリップ部のシャフトの外周面上に粘着層を介して加飾シート材が貼着され、該加飾シート材の外周面上に水溶性粘着層を形成すると共に、該グリップ部のシャフトの外周部に嵌装される透明または半透明で且つ伸縮自在のグリップ部材の中空内部に少なくとも水分と界面活性剤とを含む溶液を泡状にした泡状体を充満させた状態で、該泡状体が充満したグリップ部材の中空内部に前記シャフトを挿入して装着し、該泡状体に含まれる水分により前記加飾シート材の外周面上に形成された水溶性粘着層が粘液状となって前記グリップ部材の中空内周面と該加飾シート材の外周面との間に介在され、該泡状体に含まれる水分を蒸発させて該水溶性粘着層の接着力を作用させ、前記グリップ部のシャフトの外周面上に貼着された加飾シート材の外周面と、前記グリップ部材の中空内周面とを接着することを特徴とする。
【０００８】
また、本発明に係るグリップ部材の接着方法の第３の構成は、前記第１、第２の構成において、前記グリップ部材及び前記シャフトは、ゴルフクラブのグリップ部材及びシャフトであることを特徴とする。
【発明の効果】
【０００９】
本発明に係るグリップ部材の接着方法の第１の構成によれば、グリップ部材の中空内部に充満させた泡状体（ムース）をグリップ部のシャフトの外周面上に形成した水溶性接着層に接触させることで少量（適量）の水を該水溶性接着層に均一に作用させて全体に均一な粘液状とし、泡状体（ムース）が気泡を含むためグリップ部材の中空内部にシャフトを挿入する際の動摩擦抵抗を低減して円滑に挿入することが出来、少量（適量）の水を水溶性接着層に均一に作用させることで該水溶性接着層の乾燥時間を短縮させることが出来る。
【００１０】
また、本発明に係るグリップ部材の接着方法の第２の構成によれば、グリップ部材の中空内部に充満させた泡状体（ムース）をグリップ部のシャフトの外周面上に粘着層を介して貼着された加飾シート材の外周面上に形成した水溶性接着層に接触させることで少量（適量）の水を該水溶性接着層に均一に作用させて全体に均一な粘液状とし、泡状体（ムース）が気泡を含むためグリップ部材の中空内部にシャフトを挿入する際の動摩擦抵抗を低減して円滑に挿入することが出来、少量（適量）の水を水溶性接着層に均一に作用させることで該水溶性接着層の乾燥時間を短縮させることが出来る。
【００１１】
また、本発明に係るグリップ部材の接着方法の第３の構成によれば、ゴルフクラブのグリップ部材の接着方法に適用出来る。
【発明を実施するための最良の形態】
【００１２】
図により本発明に係るグリップ部材の接着方法の一実施形態を具体的に説明する。図１（ａ）は本発明に係るグリップ部材の接着方法によりグリップ部材を接着したゴルフクラブのグリップ部の構成を示す断面説明図、図１（ｂ）は図１（ａ）のＡ−Ａ断面図、図２（ａ）は加飾シート材の外周面上に設けられた水溶性粘着層の構成を示す平面図、図２（ｂ）は図２（ａ）のＢ−Ｂ断面図、図３はグリップ部のシャフトの外周面上に粘着層を介して加飾シート材を貼着する様子を示す図、図４はグリップ部材の中空内部に泡状体（ムース）を充満させる様子を示す図、図５は泡状体（ムース）が充満したグリップ部材の中空内部にシャフトを挿入する様子を示す図、図６はグリップ部材の中空内部に泡状体（ムース）を充満させる様子を示す他の例を示す図である。
【００１３】
図１及び図２において、６はゴルフクラブ５のグリップ部であり、該グリップ部６の円柱状または円筒状のシャフト11の外周面上には内側粘着層１を介して該シャフト11のグリップ部６の表面積に応じた図２（ａ）に示す長台形状の加飾シート材７が貼着されている。本実施形態の加飾シート材７は、図１（ａ）に示すように、台紙２の表面に印刷等により加飾層３が形成されたものである。内側粘着層１としては市販の両面テープ等を採用することが出来る。
【００１４】
図２に示す加飾シート材７の両面に内側粘着層１と外側粘着層４とを設けた加飾シート材セットＳを一部品として取り扱う場合には、内側粘着層１と外側粘着層４のそれぞれの外側に図示しない離型シート材を貼着して取り扱うことが出来る。
【００１５】
加飾シート材７の外周面上には水溶性粘着層からなる外側粘着層４を介して透明または半透明で且つ伸縮自在で一方が開放され他方が閉塞された筒状のグリップ部材12が着脱可能に貼着されている。尚、グリップ部材12の閉塞側には空気抜き孔12ｂが形成されている。
【００１６】
透明または半透明で且つ伸縮自在のグリップ部材12の材質としては、ポリウレタン樹脂、エチレン，プロピレン，非共役系ジエンからなる合成ゴム（ＥＰＤＭ）、該ＥＰＤＭにスチレンブタジエンゴム、フタル酸ジオクチル、天然ゴムが更に含まれた合成ゴム、エチレン−酢酸ビニル共重合体により構成することが出来る。
【００１７】
また、外側粘着層４を構成する水溶性粘着層の材質としては、切手、シール等に使用されている公知の水溶性粘着材を採用することが出来、水溶性粘着層は水に接触することにより粘液状に遷移し、グリップ部材12の中空内周面12ｃは粘液状に遷移した外側粘着層４の表面を滑って容易に着脱することが出来る。
【００１８】
次に本発明に係るグリップ部材の接着方法について図３〜図５を用いて説明する。先ず、図３に示すように、ゴルフクラブ５のグリップ部６のシャフト11の外周面上に内側粘着層１を介して加飾シート材７を貼着する。本実施形態の加飾シート材７の外周面上には予め水溶性粘着層となる外側粘着層４が形成されている。
【００１９】
次に、図４に示すように、グリップ部６のシャフト11の外周部に嵌装される透明または半透明で且つ伸縮自在のグリップ部材12の中空内部12ａに少なくとも水分と界面活性剤とを含む溶液13をポンプ14により泡状にした泡状体（ムース）15を充満させる。
【００２０】
尚、溶液13は例えば界面活性剤が１重量％、アルキルアミンオキシドが１重量％、水が９０重量％、残りをその他の溶剤とすることが出来る。界面活性剤と水に空気を作用させて発泡させることが出来、アルキルアミンオキシドは速乾作用が得られるものである。また、ポンプ14の代わりに容器内に圧入した圧力ガスを搬送ガスとして容器内に充填したエアゾールにより溶液13を泡状にした泡状体15をグリップ部材12の中空内部12ａに充満させることも出来る。
【００２１】
次に、図５に示すように、泡状体15が充満したグリップ部材12の中空内部12ａにシャフト11を挿入して装着する。水溶性粘着層からなる外側粘着層４に泡状体15に含まれる水分を均一に接触させることにより該外側粘着層４が粘液状となって粘着力を除去した状態で、伸縮自在のグリップ部材12をシャフト11に容易に装着することが出来る。
【００２２】
グリップ部材12の中空内部12ａに充満させた泡状体（ムース）15をグリップ部６のシャフト11の外周面上に内側粘着層１を介して貼着された加飾シート材７の外周面上に形成した水溶性接着層となる外側粘着層４に接触させることで少量（適量）の水を該水溶性接着層に均一に作用させて全体に均一な粘液状とし、泡状体（ムース）15が気泡を含むためグリップ部材12の中空内部12ａにシャフト11を挿入する際の動摩擦抵抗を低減して円滑に挿入することが出来、少量（適量）の水を外側粘着層４に均一に作用させることで該外側粘着層４の乾燥時間を短縮させることが出来る。
【００２３】
粘液状となった水溶性粘着層からなる外側粘着層４はグリップ部材12の中空内周面12ｃと該加飾シート材７の外周面との間に介在され、該泡状体15に含まれる水分を蒸発させて該水溶性粘着層となる外側粘着層４の接着力を作用させ、グリップ部６のシャフト11の外周面上に貼着された加飾シート材７の外周面と、グリップ部材12の中空内周面12ｃとを接着する。
【００２４】
水溶性粘着層の水分が揮発すると外側粘着層４の粘着力が復元してグリップ部材12を貼着することが出来、透明または半透明のグリップ部材12を透過して加飾シート材７の意匠を視認することが出来る。
【００２５】
また、グリップ部材12の中空内周面12ｃと、グリップ部６のシャフト11の外周面上に貼着された加飾シート材７の外周面との間に注射器等を用いて水を注入し、水溶性粘着層からなる外側粘着層４を再び粘液状として粘着力を除去した状態で、伸縮自在のグリップ部材12をシャフト11から容易に脱離することが出来、ユーザの嗜好によって加飾シート材７を張り替えることでグリップ部６の意匠デザインを容易に変えることが出来る。
【００２６】
図４はグリップ部材12の開口端部側にポンプ14のノズル14ａを直接挿入して該グリップ部材12の開口端部側から泡状体15を順次押し出して延長させて該グリップ部材12の中空内部12ａに泡状体15を充満させた一例であるが、図６に示すように、ポンプ14のノズル14ａに延長管16を接続して該延長管16の開口端部をグリップ部材12の中空内部12ａの中間部に配置させ、該延長管16の開口端部から該グリップ部材12の閉塞部側（図６の右側）及び開口部側（図６の左側）の両方向に同時に泡状体15を順次押し出して延長させて該グリップ部材12の中空内部12ａに泡状体15を充満させることも出来る。
【００２７】
尚、前記実施形態では、シャフト11の外周面上に内側粘着層１を介して加飾シート材７が貼着された場合の一例について説明したが、加飾シート材７を省略したグリップ部６の構造にも同様に適用出来る。
【００２８】
即ち、グリップ部６のシャフト11の外周面上に水溶性粘着層となる外側粘着層４を形成すると共に、該グリップ部６のシャフト11の外周部に嵌装されるグリップ部材12の中空内部12ａに少なくとも水分と界面活性剤とを含む溶液13を泡状にした泡状体(ムース)15を充満させた状態で、該泡状体(ムース)15が充満したグリップ部材12の中空内部12ａにシャフト11を挿入して装着し、該泡状体(ムース)15に含まれる水分により該シャフト11の外周面上に形成された水溶性粘着層となる外側粘着層４が粘液状となってグリップ部材12の中空内周面12ｃと該シャフト11の外周面との間に介在され、該泡状体(ムース)15に含まれる水分を蒸発させて該水溶性粘着層となる外側粘着層４の接着力を作用させ、グリップ部６のシャフト11の外周面と、グリップ部材12の中空内周面12ｃとを接着することでも良い。
【００２９】
上記構成によれば、グリップ部材12の中空内部12ａに充満させた泡状体15をグリップ部６のシャフト11の外周面上に内側粘着層１を介して貼着された加飾シート材７の外周面上に形成した水溶性接着層となる外側粘着層４に接触させることで少量（適量）の水を該外側粘着層４に均一に作用させて全体に均一な粘液状とし、泡状体15が気泡を含むためグリップ部材12の中空内部12ａにシャフト11を挿入する際の動摩擦抵抗を低減して円滑に挿入することが出来、少量（適量）の水を外側粘着層４に均一に作用させることで該外側粘着層４の乾燥時間を短縮させることが出来る。
【００３０】
尚、加飾シート材７の代わりにグリップ部６のシャフト11の外周面上に粘着層を介してテープ状の加飾シート材を巻回して貼着することでも良い。
【産業上の利用可能性】
【００３１】
本発明の活用例として、ゴルフクラブのグリップ部材の接着方法の他に、自転車、三輪車、モータバイク等のハンドルのグリップ部材の接着方法、更にはテニス、バドミントン、卓球等のスポーツ用品の各種ラケットのグリップ部材の接着方法、或いはスキーのストック、釣竿、ビリヤードに使用するキュー、剣道に使用する竹刀、野球のバット等のグリップ部材の接着方法、或いはハンマー、ドライバ等の各種工具のグリップ部材の接着方法、ボールペンやシャープペンシル、万年筆等の筆記用具の各種グリップ部材の接着方法、歯ブラシ、ヘアブラシ、モップ、バー状の傘の柄等の日用雑貨の各種グリップ部材の接着方法、バー状の各種機器の操作レバーのグリップ部材の接着方法、片持ち鍋やフライパン等の各種調理器具のグリップ部材の接着方法、スプーン、フォーク、ナイフ等の各種食器類のグリップ部材の接着方法、運搬作業用一輪車等のハンドルのグリップ部材の接着方法等にも広く適用出来るものである。
【図面の簡単な説明】
【００３２】
【図１】（ａ）は本発明に係るグリップ部材の接着方法によりグリップ部材を接着したゴルフクラブのグリップ部の構成を示す断面説明図、（ｂ）は（ａ）のＡ−Ａ断面図である。
【図２】（ａ）は加飾シート材の外周面上に設けられた水溶性粘着層の構成を示す平面図、（ｂ）は（ａ）のＢ−Ｂ断面図である。
【図３】グリップ部のシャフトの外周面上に粘着層を介して加飾シート材を貼着する様子を示す図である。
【図４】グリップ部材の中空内部に泡状体を充満させる様子を示す図である。
【図５】泡状体が充満したグリップ部材の中空内部にシャフトを挿入する様子を示す図である。
【図６】グリップ部材の中空内部に泡状体を充満させる様子を示す他の例を示す図である。
【符号の説明】
【００３３】
１…内側粘着層
２…台紙
３…加飾層
４…外側粘着層
５…ゴルフクラブ
６…グリップ部
７…加飾シート材
11…シャフト
12…グリップ部材
12ａ…中空内部
12ｂ…空気抜き孔
12ｃ…中空内周面
13…溶液
14…ポンプ
14ａ…ノズル
15…泡状体
16…延長管
Ｓ…加飾シート材セット
【図１】
2008104710.tif 000003
【図２】
2008104710.tif 000004
【図３】
2008104710.tif 000005
【図４】
2008104710.tif 000006
【図５】
2008104710.tif 000007
【図６】
2008104710.tif 000008